(57)【要約】【課題】１台の弦楽器をアコースティックモードとピックアップモードの両方で演奏することを可能にし、両演奏モード間で演奏音の音質に違いが生じないようにするとともに、さらに、ピックアップモードでの演奏の際には楽器本体からの演奏音の消音化を可能にする。【解決手段】弦楽器２Ａのサウンドホールに装着される遮蔽部材１０Ａと、弦の振動により生じた音を検出してその波形を表す楽音信号を出力する楽音検出手段、遮蔽部材１０Ａがサウンドホールに装着されていることを検知する検知手段、および、遮蔽部材１０Ａが装着されている状態とそうでない状態との伝達経路の差を補償する信号処理を上記楽音信号に施してサウンドシステムへ出力する信号処理手段を含む電子回路部１１とを有し、遮蔽部材１０Ａの装着が検知手段によって検知された場合に上記信号処理を実行する楽音信号出力装置１Ａを提供する。【選択図】図１
2009139730.tif 000002
【特許請求の範囲】
【請求項１】
弦楽器の中空状の胴体部に設けられているサウンドホールを覆う遮蔽部材と、
前記弦楽器の弦の振動、またはその振動に前記胴体部が共鳴することにより生じる音を検出し、当該振動または当該音の波形を示す楽音信号を出力する楽音検出手段と、
前記サウンドホールが前記遮蔽部材により覆われていない状態の演奏音の伝達経路と覆われている状態の演奏音の伝達経路の差を補償する信号処理を前記楽音信号に施して出力する信号処理手段と、
を有することを特徴とする楽音信号出力装置。
【請求項２】
前記遮蔽部材は、前記サウンドホールに着脱自在な蓋状部材であり、
前記遮蔽部材には、その遮蔽部材を前記サウンドホールへ装着した場合に前記弦楽器の胴体部内の空間に向う面に、前記楽音検出手段と前記信号処理手段とが配置されている
ことを特徴とする請求項１に記載の楽音信号出力装置。
【請求項３】
前記遮蔽部材により前記サウンドホールが覆われていることを検知する検知手段を備え、
前記遮蔽部材により前記サウンドホールが覆われていることが前記検知手段により検知されている場合に、前記信号処理手段により生成された楽音信号を出力する
ことを特徴とする請求項１に記載の楽音信号出力装置。
【請求項４】
サウンドホールが設けられた中空状の胴体部と、請求項１から３の何れか１に記載の楽音信号出力装置と、を有することを特徴とする弦楽器。
【発明の詳細な説明】
【技術分野】
【０００１】
本発明は、時と場所、場合にあった態様で楽器演奏を行うことを可能にする技術に関する。
【背景技術】
【０００２】
一般に、アコースティックギターなどの撥弦楽器やバイオリンなどの擦弦楽器は、弦の振動に共鳴する中空状の胴体部を有している。この中空状の胴体部は、充分な音量の演奏音を得るためのものであり、上記共鳴により生じた音を放射するための開口部（アコースティックギターのサウンドホールやバイオリンのｆ字孔など）を有している。以下、本出願では上記撥弦楽器や上記擦弦楽器を単に「弦楽器」と呼び、上記役割を担う開口部のことを「サウンドホール」と呼ぶ。
【０００３】
ところで、コンサートホールなどの広い空間で弦楽器の演奏を行う際には、その胴体部の共鳴による演奏音では音量が不充分な場合がある。そこで、弦振動を電気信号（楽音信号）に変換してライン出力するピックアップ（例えば、特許文献１参照）を演奏対象の弦楽器に装着したり、サウンドホール近傍にマイクロホンを配置し、それらピックアップやマイクロホンからライン出力される楽音信号をアンプなどにより電気的に増幅した後に音として出力することが提案されている。また、ピックアップ等を予め内蔵したもの（所謂エレクトリックアコースティックギター）や、ライン出力される楽音信号による演奏のみが可能なもの（所謂サイレントギター：非特許文献１参照）も一般に市販されている。サイレントギターにおいては、演奏音が楽器本体から放射されることはないため、ライン出力される楽音信号をヘッドホンに与えるなどして消音化すれば、夜間などにおいても周囲の人々に迷惑をかけることなく演奏練習を行うことが可能である。
【特許文献１】特開平０９−１０６２８７号公報
【非特許文献１】“サイレントギターＳＬＧ１００Ｓ”、[online]、                  ヤマハ、インターネット                  <URL:http://yamaha.jp/product/guitars-basses/                                          silentguitars/slg100s/specification/>
【発明の開示】
【発明が解決しようとする課題】
【０００４】
このように、弦楽器の演奏態様には、サウンドホールからの放射音による演奏態様（以下、アコースティックモード）とピックアップ等によりライン出力される楽音信号による演奏態様（以下、ピックアップモード）の２つがあり、時と場所、場合に応じて両者を適宜切り換えて演奏することができると便利である。
【０００５】
しかし、アコースティックギターにピックアップを装着する態様やエレクトリックアコースティックギターにおいては、アコースティックモードでの演奏音とピックアップモードでの演奏音で音質に違いが生じる場合がある。これは両演奏モードで演奏音の伝達経路が異なる（例えば、サウンドホールからの放射音には、そのサウンドホールや胴体部の形状等に応じた音響特性が反映されている一方、ピックアップによりライン出力される楽音信号にはそのような音響特性は反映されていないなど）からである。サウンドホールからの放射音をマイクロホンで収音する態様では、両演奏モード間で音質に違いはないものの、他の外部音（例えば、アンプにより増幅されてコンサートホール内に出力される演奏音など）が上記マイクロホンによって収音され、ハウリングが生じ易いといった問題がある。さらに、これらの態様においては、ピックアップモードにおいてもサウンドホールから演奏音が放射されるため、前述したサイレントギターのような消音化は困難である。
【０００６】
本発明は以上に説明した課題に鑑みて為されたものであり、１台の弦楽器をアコースティックモードとピックアップモードの両方で演奏することを可能にし、両演奏モード間で演奏音の音質に違いが生じないようにするとともに、ピックアップモードでの演奏の際にはサウンドホールから放射される演奏音を消音化することを可能にする技術を提供することを目的とする。
【課題を解決するための手段】
【０００７】
上記課題を解決するため本発明は、弦楽器の中空状の胴体部に設けられているサウンドホールを覆う遮蔽部材と、前記弦楽器の弦の振動、またはその振動に前記胴体部が共鳴することにより生じる音を検出し、当該振動または当該音の波形を示す楽音信号を出力する楽音検出手段と、前記サウンドホールが前記遮蔽部材により覆われていない状態の演奏音の伝達経路と覆われている状態の演奏音の伝達経路の差を補償する信号処理を前記楽音信号に施して出力する信号処理手段とを有することを特徴とする楽音信号出力装置、を提供する。
【０００８】
このような楽音信号出力装置によれば、アコースティックモードとピックアップモードの２つの演奏モードを適宜切り換えて弦楽器を演奏することが可能になる。例えば、ピックアップモードで演奏する際には上記遮蔽部材でその弦楽器のサウンドホールを覆い、演奏操作に応じて上記信号処理手段から出力される楽音信号をサウンドシステムに与えるようにすれば良い。一方、アコースティックモードで演奏する際には、上記遮蔽部材でサウンドホールを覆わず、そのサウンドホールからの放射音で演奏を行えば良い。加えて、上記楽音信号出力装置の信号処理手段から出力される楽音信号には、サウンドホールが遮蔽部材により覆われていない状態の演奏音の伝達経路と覆われている状態の演奏音の伝達経路の差を補償する信号処理が施されているため、ピックアップモードでの演奏とアコースティックモードでの演奏とで音質に違いが生じることはない。また、上記楽音信号出力装置を用いて上記弦楽器をピックアップモードで演奏する際には、その楽音信号処理装置の遮蔽部材によって上記弦楽器のサウンドホールが覆われるため、そのサウンドホールからの音の放射が抑止される。
【０００９】
より好ましい態様においては、上記楽音信号出力装置の前記遮蔽部材は、前記サウンドホールに着脱自在な蓋状部材であり、前記遮蔽部材には、その遮蔽部材を前記サウンドホールへ装着した場合に前記弦楽器の胴体部内の空間に向う面に、前記楽音検出手段と前記信号処理手段とが配置されていることを特徴とする。このような態様の楽音信号出力装置によれば、当該楽音信号出力装置を弦楽器のサウンドホールへ装着することによってその弦楽器をピックアップモードで演奏することが可能になる。また、上記楽音信号出力装置が弦楽器のサウンドホールへ装着された状態では、その楽音信号出力装置の楽音検出手段は、上記弦楽器の胴体部と上記遮蔽部材とによって上記弦楽器の外部の空間から隔離される。このため、上記楽音検出手段をマイクロホンで構成した場合であっても、他の外部音がその楽音検出手段によって検出されることが回避され、ハウリングの発生が回避される。
【００１０】
また、別の好ましい態様の楽音信号出力装置においては、前記遮蔽部材により前記サウンドホールが覆われていることを検知する検知手段を備え、前記遮蔽部材により前記サウンドホールが覆われていることが前記検知手段により検知されている場合に、前記信号処理手段により生成された楽音信号を出力することを特徴とする。このような態様の楽音信号出力装置によれば、遮蔽部材によって弦楽器のサウンドホールを覆うか否かに連動させて上記２つの演奏モードの切り替えを行うことが可能になる。
【００１１】
また本発明の別の態様においては、サウンドホールが設けられた中空状の胴体部と上記各楽音信号出力装置の何れか１つを含むことを特徴とする弦楽器、を提供する。
【発明を実施するための最良の形態】
【００１２】
以下、本発明の実施の形態について図面を参照しつつ説明する。
（Ａ：第１実施形態）
図１は、本発明の第１実施形態に係る楽音信号出力装置１Ａを備えた弦楽器２Ａの概観図である。この弦楽器２Ａは、前述したアコースティックモードとピックアップモードの２つの演奏モードを切り換えて演奏することが可能な弦楽器である。図１に示すように、弦楽器２Ａは、アコースティックギターを模したものであり、弦の振動に共鳴する中空状の胴体部２０を有している。この胴体部２０には、弦の振動に共鳴して生じた音を放射するためのサウンドホールが設けられている。このサウンドホールから放射される音は、アコースティックモードでの演奏音の役割を担う。図１に示すように弦楽器２Ａのサウンドホール周辺には、図中矢印方向に回動自在にねじ止めされた長方形状の固定具２１が合計４個設けられている。これら固定具２１は、サウンドホールに装着される遮蔽部材１０Ａが脱落することを防止するためのものである。
【００１３】
一方、楽音信号出力装置１Ａは、弦楽器２Ａをピックアップモードで演奏することを可能にするためのものである。この楽音信号出力装置１Ａの構成は、胴体部２０のサウンドホールに着脱自在な蓋状に形成された遮蔽部材１０Ａと、ピックアップモードにおける演奏音を示す楽音信号を生成して出力する電子回路部１１とに大別される。電子回路部１１は、胴体部２０のサウンドホール近傍に内蔵されており、胴体部２０には、電子回路部１１により生成した楽音信号を弦楽器２Ａの外部へ出力するための外部出力端子１１０が設けられている。この外部出力端子１１０には、アンプやスピーカを含んだサウンドシステム（図示省略）が接続される。外部出力端子１１０から出力される楽音信号に応じた音を上記サウンドシステムに出力させることによって、ピックアップモードにおける演奏音が音として出力されるのである。
【００１４】
図２は、電子回路部１１の構成例を示すブロック図である。
図２に示すように、電子回路部１１は、前述した外部出力端子１１０の他に、楽音検出手段１２０、検知手段１３０、スイッチ１４０および信号処理手段１５０を含んでいる。楽音検出手段１２０は、例えばマイクロホンである。この楽音検出手段１２０は、楽音信号出力装置１Ａが内蔵される弦楽器２Ａの演奏音をその胴体部２０内で検出（収音）し、その演奏音の波形を示すアナログ形式の楽音信号を出力する。
【００１５】
検知手段１３０は、楽音検出手段１２０から信号処理手段１５０へ至る経路に設けられたスイッチ１４０のオン／オフ制御を行う。本実施形態では、検知手段１３０は、遮蔽部材１０Ａが弦楽器２Ａのサウンドホールに装着されたこと（すなわち、遮蔽部材１０Ａによってサウンドホールが覆われたこと）を検知した場合に、スイッチ１４０をオン状態にし、逆に、遮蔽部材１０Ａが上記サウンドホールに装着されていないことを検知した場合には、スイッチ１４０をオフ状態にする。ここで、遮蔽部材１０Ａが装着されているか否かを検知する方法は機械的な方法であっても良く、電磁的な方法であっても良い。スイッチ１４０がオン状態になると、楽音検出手段１２０から出力される楽音信号が信号処理手段１５０に与えられる。
【００１６】
信号処理手段１５０は、図２に示すように、Ａ／Ｄ変換器１５１、ＤＳＰ（Digital
Signal Processor）１５２、および、Ｄ／Ａ変換器１５３を含んでいる。Ａ／Ｄ変換器１５１は、楽音検出手段１２０から与えられる楽音信号にＡ／Ｄ変換を施し、その変換結果である楽音データをＤＳＰ１５２に与える。ＤＳＰ１５２は、与えられた楽音データに所定の信号処理を施し、その処理結果である楽音データをＤ／Ａ変換器１５３に与える。このＤＳＰ１５２が実行する信号処理の処理内容については後に明らかにする。Ｄ／Ａ変換器１５３は、与えられた楽音データにＤ／Ａ変換を施し、その変換結果である楽音信号を出力する。図２に示すようにＤ／Ａ変換器１５３には、外部出力端子１１０が接続されている。
【００１７】
つまり、本実施形態では、遮蔽部材１０Ａがサウンドホールに装着されると、その旨が検知手段１３０によって検知され、スイッチ１４０がオン状態にされる。これにより、弦楽器２Ａの演奏モードがピックアップモードに切り換えられる。そして、この状態で弦楽器２Ａの演奏が行われると、弦楽器２Ａの胴体部２０内で検出される演奏音に所定の信号処理を施してライン出力する処理が信号処理手段１５０によって行われる。このため、弦楽器２Ａのピックアップモードにおける演奏音の音響特性は、従来のピックアップモードにおける演奏音に比較して上記信号処理により付与される音響特性の分だけ異なったものになる。
【００１８】
次いで、ＤＳＰ１５２が実行する信号処理について説明する。
この信号処理は、サウンドホールが遮蔽部材１０により覆われていない状態の演奏音の伝達経路と覆われている状態の演奏音の伝達経路の差を補償する処理である。サウンドホールを遮蔽部材１０Ａで覆った状態と覆っていない状態とでは胴体部２０の音響特性が異なり、共鳴音の音響特性も異なったものになる。そこで、本実施形態では、サウンドホールが遮蔽部材１０により覆われている状態の弦楽器２Ａの演奏音（すなわち、Ａ／Ｄ変換器１５１から与えられる楽音データの表す演奏音）の音響特性を、サウンドホールが遮蔽部材１０により覆われていない状態の弦楽器２Ａの演奏音（すなわち、サウンドホールからの放射音）の音響特性に近づけるために、この信号処理が行われる。この信号処理の具体的な処理内容としては、例えば、低音域を増強するフィルタ処理や、物理音源シミュレーションによりサウンドホールからの放射音を表す楽音データに変換する処理、サウンドホールを塞いだために変化した音響特性を補正するための収音された信号の処理等が挙げられる。このような信号処理がＤＳＰ１５２によって施される結果、外部出力端子１１０を介して与えられる楽音信号に応じてサウンドシステムが出力する演奏音の音質はアコースティックモードにおける演奏音の音質と略同一になる。
【００１９】
以上説明したように本実施形態に係る弦楽器２Ａを演奏する際には、サウンドホールに遮蔽部材１０Ａを装着するか否かによって演奏モードの切り換えを行うことができ、また、両演奏モード間で演奏音の音質に違いが生じないようにすることができる。加えて、本実施形態に係る弦楽器２Ａをピックアップモードで演奏する際には、その弦楽器２Ａのサウンドホールが遮蔽部材１０Ａによって覆われているため、そのサウンドホールからの演奏音の放射が抑止される。また、遮蔽部材１０Ａをサウンドホールに装着した状態では、弦楽器２Ａの胴体部２０と遮蔽部材１０Ａとによって楽音検出手段１２０が外部音から隔離され、ハウリングの発生も抑止される。
【００２０】
（Ｂ：第２実施形態）
図３は、本発明の第２実施形態に係る楽音信号出力装置１Ｂを含む弦楽器２Ｂの要部とその使用形態を説明するための図である。図３では、第１実施形態におけるものと同一の構成要素には同一の符号が付されている。図３（Ａ）に示すように楽音信号出力装置１Ｂは、遮蔽部材１０Ｂと電子回路部１１とを含んでいる。図３（Ａ）に示すように、本実施形態の遮蔽部材１０Ｂは、レール状の固定具２２によって挟持されつつ図中矢印Ｙ方向に開閉自在なシャッター状部材である。図３（Ｂ）に示すように遮蔽部材１０Ｂを閉じてサウンドホールを覆えば、ピックアップモードでの演奏においてサウンドホールからの放射音が消音化されること、および、楽音検出手段１２０が外部音から遮断されハウリングの発生が回避されることは前述した第１実施形態の場合と同様である。加えて、本実施形態ではサウンドホールを覆うための遮蔽部材１０Ｂを弦楽器２Ｂの胴体部２０に装着されるシャッター状部材で構成したため、演奏操作中に脱落する虞がなく、また、蓋状部材である遮蔽部材１０Ａを弦を避けつつサウンドホールに装着する場合に比較してその開閉が楽である、といった特徴がある。
【００２１】
また、本第２実施形態に係る楽音信号出力装置の電気的な構成は、前述した楽音信号出力装置１Ａの電気的な構成と同一であり、サウンドホールが遮蔽部材１０Ｂにより覆われていない状態の演奏音の伝達経路と覆われている状態の演奏音の伝達経路の差を補償する信号処理が信号処理手段１５０によって実行される。このため、本第２実施形態においても、ピックアップモードにてサウンドシステムから出力される演奏音の音質がアコースティックモードにてサウンドホールから放射される演奏音の音質と略同一になる。このように、本第２実施形態によっても、アコースティックモードとピックアップモードとを切り換えて弦楽器２Ｂを演奏することが可能になるとともに、両演奏モード間で演奏音の音質に違いが生じないようにし、さらに、ピックアップモードでの演奏の際にはサウンドホールからの放射音を消音化することが可能になる。なお、この第２実施形態においては、遮蔽部材１０の開閉を検知しその検知結果に応じてスイッチ１４０のオン／オフ制御を行う処理を検知手段１３０に実行させるようにすれば良い。
【００２２】
（Ｃ：第３実施形態）
次いで、本発明の第３実施形態について説明する。
以上に説明した第１および第２実施形態では、本発明の特徴である信号処理を実行するための電子回路部１１を弦楽器の胴体部に内蔵したが、この第３実施形態では、遮蔽部材１０Ｃと電子回路部１１とを一体化して楽音信号出力装置１Ｃを構成したことに特徴がある。
【００２３】
図４（Ａ）は本第３実施形態に係る楽音信号出力装置１Ｃの概観を示す図であり、図４（Ｂ）および図４（Ｃ）その使用態様を示す図であり、図４（Ｄ）は図４（Ｃ）のＸＸ´線における断面を示す図である。図１（Ｂ）〜（Ｄ）に示すように、この楽音信号出力装置１Ｃは、弦楽器２Ｃのサウンドホールに装着して使用される。楽音信号出力装置１Ｃが装着される弦楽器２Ｃの構成は、サウンドホール周辺に前述した固定具２１が設けられていることを除いて、一般的なアコースティックギターの構成と同一である。したがって、弦楽器２Ｃをアコースティックモードで演奏する際には、そのサウンドホールに楽音信号出力装置１Ｃを装着せずにその演奏を行えば良い。
【００２４】
遮蔽部材１０Ｃは、前述した第１実施形態における遮蔽部材１０Ａと同様に弦楽器２Ｃのサウンドホールを覆う形状および大きさに成形された蓋状部材である。図１（Ｄ）に示すように、遮蔽部材１０Ｃの底面（すなわち、遮蔽部材１０Ｃを弦楽器２Ｃのサウンドホールに装着した際にその胴体部２０内の空間に対向する面）には、電子回路部１１が設けられている。一方、遮蔽部材１０Ｃの平面には、外部出力端子１１０が設けられている。このような構成としたため、楽音信号出力装置１Ｃを装着した状態で弦楽器２Ｃの演奏が行われると、弦振動に応じて弦楽器２Ｃの胴体内に鳴り響く共鳴音が楽音検出手段１２０により検出され、その波形を示す楽音信号が信号処理手段１５０に与えられる。以降、信号処理手段１５０によって、サウンドホールが遮蔽部材１０Ｃにより覆われていない状態の演奏音の伝達経路と覆われている状態の演奏音の伝達経路の差を補償する信号処理が実行され、その処理結果である楽音信号が外部出力端子１１０を介してサウンドシステム（図示省略）に与えられる。したがって、本第３実施形態においても、弦楽器２Ｃをピックアップモードで演奏する際の演奏音の音質とアコースティックモードで演奏する際の音質に違いが生じないようにすることが可能になる。
【００２５】
加えて、本実施形態に係る楽音信号出力装置１Ｃを用いて弦楽器２Ｃをピックアップモードで演奏する際には、弦楽器２Ｃのサウンドホールが遮蔽部材１０Ｃによって覆われているため、そのサウンドホールからの演奏音の放射が抑止される。また、楽音信号出力装置１Ｃをサウンドホールに装着した状態では、弦楽器２Ｃの胴体部２０と遮蔽部材１０Ｃとによって楽音検出手段１２０が外部音から隔離され、ハウリングの発生も抑止される。
【００２６】
（Ｄ：その他の実施形態）
以上本発明の各実施形態について説明したが、以下のように変形しても良いことは勿論である。
（１）上述した各実施形態では、アコースティックギターについての本発明の適用例を説明したが、例えばバイオリンやチェロ、コントラバスなど他の弦楽器についても本発明を適用することは可能である。ただし、バイオリンやチェロ、コントラバスなどにおいては、サウンドホール（所謂ｆ字孔）が小さく、また、その形状も特殊であるため、そのサウンドホールを覆う蓋状の遮蔽部材の底面に電子回路部１１を配置できない場合もある。このようにサウンドホールの大きさや形状に起因した制約によって、遮蔽部材の底面に電子回路部１１を設置できない場合には、前述した第１または第２実施形態を採用すれば良い。
【００２７】
（２）上述した各実施形態では、弦振動に応じて弦楽器の胴体内に生じる共鳴音を収音するマイクロホンで楽音検出手段１２０を構成した。しかし、マグネティックピックアップやピエゾピックアップなど弦の振動を検出しその検出結果に応じた電気信号（すなわち、弦の振動波形を示す電気信号）を出力するピックアップで楽音検出手段１２０を構成しても勿論良い。例えば、前述した第１および第２実施形態において楽音検出手段１２０をピックアップで構成する場合には、一般的なエレクトリックアコースティックギターなどと同様に弦を保持する駒（ブリッジ）にそれらピックアップを設けておけば良い。また、第３実施形態において楽音検出手段１２０をピックアップで構成する場合には、楽音検出手段１２０を遮蔽部材１０Ｃの上面に配置するようにすれば良い。このような態様においては楽音検出手段１２０が外部音から隔離されることはないが、ピックアップで楽音検出手段１２０を構成する態様においては、マイクロホンにより楽音検出手段１２０を構成する場合に比較して外部音による影響が小さいため、特段の問題が生じることはない。
【００２８】
（３）上述した各実施形態では、スイッチ１４０を楽音検出手段１２０から信号処理手段１５０へ至る経路に設けたが、信号処理手段１５０から外部出力端子１１０へ至る経路に設けても良く、Ａ／Ｄ変換器１５１からＤＳＰ１５２へ至る経路やＤＳＰ１５２からＤ／Ａ変換器１５３へ至る経路に設けても良い。また、楽音検出手段１２０や信号処理手段１５０へ駆動電力を供給する電源からこれら各手段へ至る経路へスイッチ１４０を設けても良い。要は、遮蔽部材によりサウンドホールが覆われていることが検知された場合に、サウンドホールが覆われていない状態との伝達経路の差を補償する信号処理が施された楽音信号が出力される態様であれば良い。
【００２９】
（４）上述した各実施形態では、遮蔽部材によって弦楽器のサウンドホールが覆われているか否かを検知する検知手段１３０によってスイッチ１４０のオン／オフ制御を行ったが、スイッチ１４０のオン／オフ制御を行うための操作子を有する操作部を検知手段１３０の代わりに設け、この操作子を利用者に操作させることによってスイッチ１４０のオン／オフ制御を行っても良い。
【図面の簡単な説明】
【００３０】
【図１】本発明の第１実施形態に係る楽音信号出力装置１Ａの概観図である。
【図２】同楽音信号出力装置１Ａの電子回路部１１な構成を説明するための図である。
【図３】本発明の第２実施形態に係る楽音信号出力装置１Ｂの要部およびその使用態様を示す図である。
【図４】本発明の第３実施形態に係る楽音信号出力装置１Ｃの構成およびその使用態様を示す図である。
【符号の説明】
【００３１】
１Ａ，１Ｂ，１Ｃ…楽音信号出力装置、２Ａ，２Ｂ，２Ｃ…弦楽器、１０Ａ，１０Ｂ…遮蔽部材、１１…電子回路部、１１０…外部出力端子、１２０…楽音検出手段、１３０…検知手段、１４０…スイッチ、１５０…信号処理手段、１５１…Ａ／Ｄ変換器、１５２…ＤＳＰ、１５３…Ｄ／Ａ変換器、２０…胴体部、２１，２２…固定具。
【図１】
2009139730.tif 000003
【図２】
2009139730.tif 000004
【図３】
2009139730.tif 000005
【図４】
2009139730.tif 000006